(57)【特許請求の範囲】
【請求項１】
軸筒と、該軸筒内に軸方向へ移動可能に挿入されて後退方向に付勢された芯タンクと、該芯タンクの先端に配置された芯送出機構と、前記芯タンクの側壁部に設けられたサイドノック部材とを備え、前記サイドノック部材のノック操作により前記芯タンクを前進移動させて該芯タンク内の筆記芯を繰出方向に移動させるサイドノック式シャープペンシルにおいて、
前記芯タンクは、前部の芯ガイド筒部と、該芯ガイド筒部の後端に連続形成された芯収納筒部とを有し、
前記芯ガイド筒部は、前記軸筒の軸心と同心的に形成されて一本の筆記芯を挿通可能とする芯挿通孔を有し、
前記芯収納筒部には、前記芯挿通孔の後端に連続して複数本の予備芯を収納可能な予備芯収納孔が形成され、
前記予備芯収納孔を画成する前記芯収納筒部の内周面は、前記芯挿通孔を画成する前記芯ガイド筒部の内周面よりも径方向外方に位置し、
前記予備芯収納孔は、前記軸筒および前記芯挿通孔の中心線部位から前記サイドノック部材と反対方向に偏心し、
前記芯収納筒部の外周面と前記軸筒の内周面とが接触しないように形成されたことを特徴とするサイドノック式シャープペンシル。
【請求項２】
前記芯タンクの後部には、前記芯収納筒部の後端から連続して後端方向へかけて拡径された後端拡径筒部が形成され、
前記後端拡径筒部の開口縁の中心が、前記予備芯収納孔の中心線部に対して該予備芯収納孔の偏心方向と反対方向に偏心するように形成されたことを特徴とする請求項１記載のサイドノック式シャープペンシル。
【請求項３】
前記芯タンクの外側には、前記サイドノック部材を係合させる係合部が設けられ、前記サイドノック部材のノック時に前記係合部を介して芯タンクを芯出し方向に移動させるようになっていることを特徴とする請求項１または請求項２記載のサイドノック式シャープペンシル。
【請求項４】
前記芯収容筒部の外側壁部には、断面長穴形状をなした予備芯収納孔の断面長手方向に沿って並行するサイドカット面が形成されていることを特徴とする請求項１から請求項３のうちのいずれか１項に記載のサイドノック式シャープペンシル。
【請求項５】
前記サイドノック部材の両側には、前記芯収容筒部のサイドカット面に摺接させるスカート部が形成されていることを特徴とする請求項４記載のサイドノック式シャープペンシル。
【発明の詳細な説明】
【技術分野】
【０００１】
この発明は、独特構造の芯タンクを備えたサイドノック式シャープペンシルに関するものである。
【背景技術】
【０００２】
従来のサイドノック式シャープペンシルは、先具を有する軸筒と、該軸筒内に軸方向移動可能に挿入されて後退方向に付勢された芯タンクと、該芯タンクの先端に配置された芯送出機構（芯チャック機構）と、前記軸筒の側壁部位に取り付けられたサイドノック部材とを備え、前記芯タンクは全長が丸パイプからなって軸筒内に同心的に挿入され、その芯タンクの中心線部位に挿入された筆記芯を芯チャック機構で保持させ、この状態で前記サイドノック部材をノック操作することにより、前記芯タンクを後方付勢力に抗して前進移動させて該芯タンク内の筆記芯を前記先具先端から繰り出す構造となっている（例えば、特許文献１参照）。
【０００３】
このような従来のサイドノック式シャープペンシルにおいて、細径芯（例えば、0.3mm〜０．７mm）仕様の場合、軸筒内に挿入セットされた芯タンクは、前部に１本の筆記芯を挿通可能な芯挿通孔が形成され、後部に複数の予備芯を同時に収納可能なスペースの予備芯収納孔が前記芯挿通孔と同一軸心線状に形成された構造となっており、前記芯挿通孔に挿入された筆記芯がサイドノック部材のノック操作による先具先端から繰り出されるようになっている。
【０００４】
【特許文献１】特許第３５０１４１８号公報
【発明の概要】
【発明が解決しようとする課題】
【０００５】
従来のサイドノック式シャープペンシルは以上のように構成され、軸筒内に挿入セットされる芯タンクは、前部の芯挿通孔と後部の予備芯収納孔とが同一軸心線状に連続形成された丸パイプからなる細径芯仕様（例えば、０．３mm〜０．７mmの芯仕様）の構造となっているので、その芯仕様に対応した芯であれば、芯タンク前部の芯挿通孔に筆記芯を挿通した状態で芯タンク後部の予備芯収納孔に複数の予備芯を同時に収納することはできる。また、このようなサイドノック式シャープペンシルにおいて、前記軸筒の径を変えずに芯タンク前部の芯挿通孔のみを大径芯仕様（例えば、０．９mm以上の芯仕様）の径に変えれば、その芯仕様に対応した大径の筆記芯を前記芯挿通孔に挿通すれば使用可能となるが、しかし、前記芯タンク後部の予備芯収納孔には予備芯を収納することができず、したがって芯タンクには１本の筆記芯しかセットできないという課題があった。
【０００６】
すなわち、細径芯仕様の軸筒を径を変えずにそのまま大径芯仕様の軸筒として適用する場合、芯タンクは前部の芯挿通孔の径のみを大径芯仕様の径に変更形成すれば、その芯挿通孔に大径の筆記芯を挿通して使用に供することはできるが、この場合の芯タンクにあっても、前部の芯挿通孔と後部の予備芯収納孔は同一軸心線状に形成されているので、前部の芯挿通孔に挿入されて後部の予備芯収納孔まで延びる大径の筆記芯と前記予備芯収納孔の内径面との間のスペースは前記筆記芯の径よりも狭くなり、このため前記後部の予備芯収納孔に大径の予備芯を収納することができず、大径の予備芯を収納可能とするためには、前記軸筒および芯タンクのそれぞれを大径化しなければならず、また、この場合は使い勝手も悪くなるなどの課題があった。
【０００７】
この発明は上記のような課題を解決するためになされたもので、例えば細径芯仕様の軸筒および芯タンクを大径化せずとも、軸筒内に挿入セットされた芯タンク内に大径な複数の芯を収納することができるサイドノック式シャープペンシルを提供することを目的とする。
【課題を解決するための手段】
【０００８】
この発明に係るサイドノック式シャープペンシルは、軸筒と、該軸筒内に軸方向へ移動可能に挿入されて後退方向に付勢された芯タンクと、該芯タンクの先端に配置された芯送出機構と、前記芯タンクの側壁部に設けられたサイドノック部材とを備え、前記芯タンクは、前記軸筒の軸心と同心的に形成されて一本の筆記芯を挿通可能とする芯挿通孔と、該芯挿通孔の後端に連続する予備芯収納孔とを有し、前記予備芯収納孔は、前記軸筒および前記芯挿通孔の中心線部位から径方向に偏心した断面長穴形状に形成されて複数本の予備芯が収納可能となっているものである。
【０００９】
この発明に係るサイドノック式シャープペンシルの前記予備芯収納孔は、前記軸筒に設けられたサイドノック部材と反対方向に偏心して該偏心方向に沿った断面長穴形状に形成されているものである。
【００１０】
この発明に係るサイドノック式シャープペンシルは、前記芯タンクにおける予備芯収納孔形成部位の外側に、断面長穴形状をなした予備芯収納孔の断面長手方向に沿って並行するサイドカット面が形成されているものである。
【００１１】
この発明に係るサイドノック式シャープペンシルは、前記芯タンクの外側に、前記サイドノック部材を係合させる係合部が設けられ、前記サイドノック部材のノック時に前記係合部を介して芯タンクを芯出し方向に移動させるようになっているものである。
【００１２】
この発明に係るサイドノック式シャープペンシルは、前記サイドノック部材の両側に、前記芯タンクのサイドカット面に摺接させるスカート部が形成されているものである。
【発明の効果】
【００１３】
この発明のサイドノック式シャープペンシルによれば、芯タンクに軸筒の軸心と同心的に形成されて１本の筆記芯を挿通させる芯挿通孔の後端に連続する予備芯収納孔を、前記芯挿通孔の中心部位から径方向に偏心させて断面長穴形状に形成したことにより、前記軸筒を大径化せずとも、該軸筒内のデッドスペースを利用して芯収納スペースの大きな予備芯収納孔を形成することができ、このため、芯径が０．９mm以上の大径な芯であっても、前記予備芯収納孔に複数の予備芯を同時に収納することができるという効果がある。また、芯径が０．７mm以下の細径芯仕様とする場合には、前記芯タンクの芯挿通孔が細径芯仕様の径に形成された芯タンクと取り替えるだけでよく、軸筒やサイドノック部材等の部材は取り替える必要がないので、種々の芯径に対応したサイドノック式シャープペンシルを製作する上での汎用性が得られるとともに、細径芯仕様とした場合、数多くの予備芯を芯タンクの予備芯収納孔に同時に収納することができるという効果がある。
【００１４】
この発明のサイドノック式シャープペンシルによれば、芯タンクの予備芯収納孔が軸筒に設けられたサイドノック部材と反対方向に偏心して断面長穴形状に形成されていることにより、筆記使用時に通常はサイドノック部材を上側にして軸筒を把持するので、前記予備芯収納孔内では、芯タンクの芯挿通孔に挿通された筆記芯の下側に複数の予備芯が収納され、サイドノック部材のノック操作による芯送り時の筆記芯が予備芯で邪魔されるようなこともなく、芯送りをスムーズに行うことができるという効果がある。
【００１５】
この発明のサイドノック式シャープペンシルによれば、芯タンクの両側にサイドカット面を形成したので、そのサイドカット面にサイドノック部材の両側を摺接させる構造するすることができ、その摺接構造を実現するために軸筒を大径化する必要がなく、しかも、前記サイドカット面によってサイドノック部材のノックストロークを大きくすることができるという効果がある。
【００１６】
この発明のサイドノック式シャープペンシルによれば、芯タンクの外側にサイドノック部材を係合させる係合部を設け、サイドノック部材のノック時に前記係合部を介して芯タンクを芯送り方向に移動させるようにしたので、サイドノック部材のノック操作により芯送りをスムーズに行うことができるという効果がある。
【００１７】
この発明のサイドノック式シャープペンシルによれば、サイドノック部材の両側にスカート部を設けて該スカート部を芯タンクのサイドカット面に摺接させるので、軸筒を大径化せずとも該軸筒内における前記サイドカット面との対応部位に生じるデッドスペース利用してサイドノック部材のスカート部を芯タンクのサイドカット面に摺接させることができるという効果がある。
【発明を実施するための形態】
【００１８】
実施の形態１．
図１はこの発明の実施の形態１によるサイドノック式シャープペンシルを示す断面図、図２は図１中の芯タンクを拡大して示す平面図、図３は図２の側面図、図４は図３のＡ−Ａ線に沿った拡大断面図、図５は図４の芯タンクを筆記芯との関連で説明するための断面図、図６は図３のＢ−Ｂに沿った断面図である。
図１に示すサイドノック式シャープペンシルは、先端に着脱可能な先具２を有する軸筒１と、該軸筒１内に軸方向へ移動可能に挿入された芯タンク３と、該芯タンク３の先端に配置された芯送出機構４と、前記軸筒１の中途側壁部に設けられたサイドノック部材５とを備え、サイドノック部材５をノック操作することにより、芯タンク３を前進移動させて芯送りを行う構造となっており、その詳細な構造を以下に説明する。
【００１９】
まず、芯タンク３は、前部の芯ガイド筒部３０と、この芯ガイド筒部３０の後端に連続形成された芯収納筒部３１と、この芯収納筒部３１の後端に連続形成された後端拡径筒部３２とからなっている。このような芯タンク３において、前記芯ガイド筒部３０は、１本の筆記芯Ｓ１（図５参照）を挿通させる芯挿通孔３０ａを軸筒１の軸心と同心的に形成しており、前記芯収納筒部３１は、前記芯挿通孔３０ａの後端に連続して複数本の予備芯Ｓ２を同時に収納可能なスペースの予備芯収納孔３１ａを形成している。
【００２０】
ここで、前記予備芯収納孔３１ａの詳細について図４および図５を参照して説明すると、該予備芯収納孔３１ａは、前記軸筒１の軸心と同心的な前記芯挿通孔３０ａの中心線部位から該芯挿通孔３０ａの径方向に偏心させた断面長穴形状に形成されている。換言すると、前記予備芯収納孔３１ａは、図４および図５に示すように、該予備芯収納孔３１ａの中心点Ｐ２を前記芯挿通孔３０ａの中心点Ｐ１より該芯挿通孔３０ａの径方向に偏心させた断面長穴形状に形成されているものである。さらに詳述すると、この実施の形態１では、前記軸筒１に設けられたサイドノック部材５と反対方向に向かって予備芯収納孔３１ａの中心点Ｐ２を芯挿通孔３０ａの中心点Ｐ１から偏心させることにより、断面長穴形状の予備芯収納孔３１ａを形成したものである。
【００２１】
このように構成された芯タンク３は、予備芯収納孔３１ａの長径方向をサイドノック部材５のノック方向に向けて軸筒１内に挿入セットされる。また、前記予備芯収納孔３１ａの形成部位となる芯収納筒部３１の外側壁部には、断面長穴形状に形成された前記予備芯収納孔３１ａの長径方向に沿って並行するサイドカット面３１ｂが形成されており、このサイドカット面３１ｂには、前記サイドノック部材５に形成されたスカート部５ａを摺接させるようになっている。
【００２２】
また、前記芯タンク３の外側壁部には、前記サイドノック部材５を係合させる係合部６が一体に設けられている。この係合部６には、前記サイドノック部材５の先端（自由端）当接させて該サイドノック部材５のノック時に前記係合部６を介して芯タンク３を前進移動させる方向に傾斜した傾斜面６ａが形成されており、該傾斜面６ａは、サイドノック部材５の先端近傍から芯タンク３両側のサイドカット面３１ｂに沿ってサイドノック部材５と反対方向に延びている。
【００２３】
さらに、前記芯タンク３には、軸筒１内で芯タンク３の軸方向移動を許容し且つ軸回り方向の回動を規制する回り止め部７が設けられている。この回り止め部７は、前記軸筒１の内径面に設けられて軸方向に延びる回り止め突条（図示せず）に対して軸方向移動可能に嵌め込まれた回り止め溝からなっている。
【００２４】
次に、サイドノック部材５の取り付けについて説明すると、軸筒１にはノック部材取付穴（符号省略）が設けられており、このノック部材取付穴にサイドノック部材５を嵌め込んだ状態でサイドノック部材５の後端を前記ノック部材取付穴の後端に支持させることにより、その支持部を支点として前記サイドノック部材５をノック方向およびノック解除方向に動作させることが可能な取付構造となっている。
【００２５】
このようにして軸筒１に取り付けられたサイドノック部材５には、前述のように芯タンク３のサイドカット面３１ｂに摺接させるスカート部５ａが形成されており、このスカート部５ａの前端に前記係合部６の傾斜面６ａが、芯タンク３に付与された後退付勢力（この後退付勢力については後述する）により常時当接してサイドノック部材５が軸筒１の外側に浮き上がったノック解除位置に保持されるようになっている。
【００２６】
次に、前記芯タンク３の先端に設けられた芯送出機構４について説明する。この芯送出機構４は、芯タンク３の先端（芯ガイド筒部３０の先端）に基部が圧入・固定されたリードチャック１０と、このリードチャック１０の先端チャック部に遊嵌されたチャックリング１１と、前記リードチャック１０の外側に配置されたスリーブ１２内に設けられて芯タンク３を後方に付勢するチャックスプリング１３とからなっている。
【００２７】
一方、前記軸筒１の後端部には、クリップ２１を有する筒状キャップ２０が着脱可能に取り付けられており、この筒状キャップ２０を取り外すことにより、軸筒１の後端開口から芯タンク３内に芯を補充することができる。また、前記筒状キャップ２０内には、消しゴム受け筒２２が定位置で回転自在に取り付けられており、この消しゴム受け筒２２には消しゴムホルダー２３が軸方向移動可能に螺合され、該消しゴムホルダー２３に消しゴム２４が保持されている。そして、前記消しゴム受け筒２２の後端には回動操作用の尾冠部２２ａが一体に設けられ、この尾冠部２２ａを回動することにより、消しゴム２４を出没させることができるようになっている。
【００２８】
次に動作について説明する。
サイドノック部材５をノックすると、該サイドノック部材５両側のスカート部５ａの先端が芯タンク３の係合部６の傾斜面６ａを押し下げることにより、芯タンク３がチャックスプリング１３の後方付勢力に抗して前進移動し、芯タンク３先端のリードチャック１０でチャッキングされた筆記芯Ｓ１が先具２先端から繰り出される。
【００２９】
以上説明した実施の形態１によれば、芯タンク３の芯挿通孔３０ａを軸筒１の軸心と同心的に形成し、その芯挿通孔３０ａの後端に連続する予備芯収納孔３１ａを、該予備芯収納孔３１ａの中心点Ｐ２が前記芯挿通孔３０ａの中心点Ｐ１より軸筒１のサイドノック部材５と反対側に偏心した断面長穴形状に形成し、その予備芯収納孔３１ａの長径方向を前記サイドノック部材５のノック方向に向けて前記芯タンク３を軸筒１内に挿入セットしたので、例えば芯径が０．７ｍｍ以下の細径芯仕様の軸筒１であっても、該軸筒１内のデッドスペースを利用して芯収納スペースの大きな予備芯収納孔３１ａを形成することができる。このため、前記軸筒１を芯径が０．９ｍｍ以上の大径芯仕様の軸筒と取り替えることなく、該軸筒１内に挿入された芯タンク３の予備芯収納孔３１ａには芯径が０．９ｍｍ以上の大径な予備芯の複数本を同時に収納することができるという効果がある。
【００３０】
また、前記芯タンク３における前記予備芯収納孔３１ａの形成部位となる芯収納筒部３１の両側には、前記予備芯収納孔３１ａの長径方向に沿って並行するサイドカット面３１ｂを形成し、このサイドカット面３１ｂにサイドノック部材５のスカート部５ａを摺接させるように構成したので、その摺接構造実現のために軸筒１を大径化する必要がなく、しかも、サイドノック部材５のノック操作時には該サイドノック部材５のスカート部５ａが前記サイドカット面３１ｂに沿って押し下げられることにより、サイドノック部材５のノックストロークを大きくすることができるという効果がある。
【００３１】
さらに、前記芯タンク３には回り止め部（回り止め溝）７を設け、この回り止め部７を軸筒１の内径面に設けられて軸方向に延びる回り止め突条８に摺動自在に嵌め込んだので、軸筒１内の芯タンク３を、断面長穴形状の予備芯収納孔３１ａの長径方向がサイドノック部材５のノック方向を向いた状態に確実に保持でき、また、サイドノック部材５のノック操作により前記芯タンク３を芯送り方向にスムーズに直進させることができるという効果がある。
【００３２】
さらに、前記芯タンク３の外側には、サイドノック部材５を係合させる係合部６を設け、この係合部６には、サイドノック部材５のノック操作により芯タンク３を前進移動させる方向に傾斜した傾斜面６ａを形成し、該傾斜面６ａにサイドノック部材５のスカート部５ａの先端を当接させたので、サイドノック部材５のノック時に前記係合部６を介して芯タンク３を芯送り方向にスムーズに移動させることができるという効果がある。しかも、前記傾斜面６ａは、サイドノック部材５の先端近傍から芯タンク３両側のサイドカット面３１ｂに沿ってサイドノック部材５と反対方向に延びているので、前記係合部６によってサイドノック部材５のノックストロークが阻害されるようなことがなく、前述のように大きなノックストロークを確保することができるという効果がある。
【図面の簡単な説明】
【００３３】
【図１】図１はこの発明の実施の形態１によるサイドノック式シャープペンシルを示す断面図である。
【図２】図１中の芯タンクを拡大して示す平面図である。
【図３】図２の側面図である。
【図４】図３のＡ−Ａ線に沿った拡大断面図である。
【図５】図４の芯タンクを筆記芯との関連で説明するための断面図である。
【図６】図３のＢ−Ｂ線に沿った断面図である。
【符号の説明】
【００３４】
１  軸筒
２  先具
３  芯タンク
４  芯送出機構
５  サイドノック部材
５ａ  スカート部
６  係合部
６ａ  傾斜面
７  回り止め部
８  回り止め突条
１０  リードチャック
１１  チャックリング
１２  スリーブ
１３  チャックスプリング
２０  筒状キャップ
２１  クリップ
２２  消しゴム受け筒
２２ａ  尾冠部
２３  消しゴムホルダー
２４  消しゴム
３０  芯ガイド筒部
３０ａ  芯挿通孔
３２  後端拡径部
３１  芯収納筒部
３１ａ  予備芯収納孔
３１ｂ  サイドカット面
Ｓ１  筆記芯
Ｓ２  予備芯
Ｐ１  芯挿通孔の中心点
Ｐ２  予備芯収納孔の中心点
【図１】
0005420322.tif 000002
【図２】
0005420322.tif 000003
【図３】
0005420322.tif 000004
【図４】
0005420322.tif 000005
【図５】
0005420322.tif 000006
【図６】
0005420322.tif 000007